(57)【要約】      （修正有）【課題】講師が生徒に提供する講義を電子商取引における商品とみなし、需要者である生徒が供給者である講師の提供する講義を評価し、その評価と講師の受取額を連動させることで知のマーケットを創設する。【解決手段】有意情報の伝達行為を講義とし、講義を行なう者を講師会員、受ける者を生徒会員として、システムを運営する本部に会員登録する。本部は講義を行う会員の組み合わせと実行を仲介し、生徒会員は本部を通じて講師会員に講義の対価を支払うことで、電子商取引として決済する。対価を講師会員と本部で分配する比率を生徒会員が講義に対して行う多段階評価に連動させる。【選択図】図２
2013134578.tif 000002
【特許請求の範囲】
【請求項１】
インターネット上で電子商取引を運営するサーバ、各種プログラム、データ記録部、通信回線等から成るシステムであり、インターネットホームページ上で、２種類に分類した会員の会員登録受付手段を持つことと、前記２種類の会員のログイン受付手段を持つことと、前記２種類の会員間にて、該情報を受け取る者に取って有益な意味のある情報であり、かつ適法性、倫理性等において社会通念上許容範囲内である有意情報のリアルタイムでの有償伝達行為が行われるとき、会員の組み合わせと前記有償伝達行為の実行を仲介する手段と、前記有償伝達行為を電子商取引における商品として決済する手段を持つことを特徴とする電子商取引システム。
【請求項２】
前記２種類の会員を講師会員と生徒会員と表し、前記有意情報のリアルタイムでの前記有償伝達行為を講義と表し、ログイン中の前記講師会員が前記生徒会員に前記講義を行い、前記生徒会員が前記講義の対価である約定価額を支払うとき、前記講義開始前に、前記生徒会員が利用するインターネット上決済サービスを経由して前記約定価額を受け取り、預かる手段を持つことと、前記約定価額を、前記講師会員が受け取る取り分である分配価額と前記電子商取引システムの運営体の取り分に分配する手段を持つことと、前記講義終了後、前記分配価額を前記講師会員が利用するインターネット上決済サービスを経由して支払う決済手段を持つこと特徴とする請求項１記載の電子商取引システム。
【請求項３】
前記生徒会員が前記講義に対して行う多段階評価を、インターネットを通じて受信する手段を持つことと、前記約定価額に、前記多段階評価と連動した分配比率を掛けることで前記分配価額を算出する手段を持つことを特徴とする請求項１または２記載の電子商取引システム。
【請求項４】
前記講師会員のうちの任意の一名である講師会員Ｔがログイン中に利用する情報通信端末をＴ１と表し、前記生徒会員のうちの任意の一名である生徒会員Ｓがログイン中に利用する情報通信端末をＳ１と表すとき、前記講師会員Ｔまたは生徒会員Ｓがログインした際に、ログイン中の前記講師会員のアイコンである講師会員アイコンが一覧表示されたページとしての講師会員室と、ログイン中の前記生徒会員のアイコンである生徒会員アイコンが一覧表示されたページとしての生徒会員室を、前記情報通信端末Ｔ１またはＳ１の画面内に表示する手段を持つことを特徴とする請求項１乃至３記載の電子商取引システム。
【請求項５】
前記講師会員室内に表示された前記講師会員Ｔの前記講師会員アイコンをＴ２、前記生徒会員室内に表示された前記生徒会員Ｓの前記生徒会員アイコンをＳ２と表すとして、前記講師会員Ｔが前記講師会員アイコンＴ２を選択して当該会員が提供したい前記有意情報の種類、講義タイトル、簡易説明、開始予定時刻、所要時間、前記講義に利用する通信メディア、希望対価等の情報を前記講師会員アイコンＴ２内に入力するとき、または、前記生徒会員Ｓが前記生徒会員アイコンＳ２を選択して当該会員が提供を受けたい前記有意情報の種類、講義タイトル、簡易説前、所要時間、開始予定時刻、前記講義に利用する通信メディア、希望対価等の情報を前記生徒会員アイコンＳ２内に入力するとき、この操作をインターネット経由で認識する手段を持つことと、前記講師会員アイコンＴ２または前記生徒会員アイコンＳ２内の情報の表示を更新する手段を持つことを特徴とする請求項１乃至４記載の電子商取引システム。
【請求項６】
前記講師会員が前記生徒会員アイコンから適当なものを選択指名するとき、または、前記生徒会員が前記講師会員アイコンから適当なものを選択指名するとき、この操作をインターネット経由で認識し、前記講義の組み合わせを求める行為と認識する手段を持つことと、この組み合わせが前記講師会員Ｔと前記生徒会員Ｓから成る講義ペアであるとしたとき、前記情報通信端末Ｔ１またはＳ１との間で前記講義の内容となる前記有意情報の種類、講義タイトル、簡易説明、開始予定時刻、所要時間、前記講義に利用する通信メディア、希望対価等の情報を確認するフォームを送受信する手段を持つことと、前記講師会員アイコンＴ２を選択された側の前記講師会員Ｔまたは前記生徒会員アイコンＳ２を選択された側の前記生徒会員Ｓが、前記内容を確認同意すると前記フォームにて返信したとき、前記講義の仮約定であると認定する手段を持つことを特徴とする請求項１乃至５記載の電子商取引システム。
【請求項７】
インターネット上決済サービスを経由して、前記生徒会員Ｓから、前記フォームにて確認同意された対価である前記約定価額を受け取る手段を持つことと、前記生徒会員Ｓから前記約定価額を受け取った時点で、前記講義の約定であると認定する手段を持つことを特徴とする請求項１乃至６記載の電子商取引システム。
【請求項８】
前記講師会員Ｔと生徒会員Ｓの間で約定された前記講義開始予定時刻直前に、前記情報通信端末Ｔ１とＳ１間に前記通信メディアを自動接続する手段を持つことを特徴とする請求項１乃至７記載の電子商取引システム。
【請求項９】
前記講師会員および前記生徒会員の会員登録の受付、会員ログインの受付、ログイン中の会員との通信、インターネット上決済サービスとの接続、会員が前記講義に利用する通信メディアの接続等の処理を行うことを特徴とする、インターネットと接続されたメインサーバを備えた請求項１乃至８記載の電子商取引システム。
【請求項１０】
前記メインサーバとの協働により、会員からインターネットを通じて前記メインサーバに送信された会員情報を、記録、管理することを特徴とする、前記メインサーバに接続されたシステム上の一部であり、会員登録の受付、会員情報を記録、管理するプログラム、データ保存部を主要部分とする会員情報管理部を備えた請求項１乃至８記載の電子商取引システム。
【請求項１１】
前記メインサーバと前記情報管理部との協働により、前記講師会員Ｔがログインしたときには、前記情報通信端末Ｔ１の画面上の前記講師会員室内に前記講師会員アイコンＴ２を、前記生徒会員Ｓがログインしたときには、前記情報通信端末Ｓ１の画面上の前記生徒会員室内に前記生徒会員アイコンＳ２を表示することと、当該会員の情報から適当なものを当該アイコン内に表示することと、ログイン中の会員本人が自己のアイコン内に情報を入力するとき、この操作をインターネット経由で認識することと、前記アイコン内の情報の表示を更新することを特徴とする、前記メインサーバに接続されたシステム上の一部であり、画面表示プログラムを主要部分とする会員アイコン表示部を備えた請求項１乃至８記載の電子商取引システム。
【請求項１２】
前記メインサーバとの協働により、前記講師会員Ｔが前記生徒会員アイコンから適当なものを選択指名するとき、または、前記生徒会員Ｓが前記講師会員アイコンから適当なものを選択指名するとき、この操作をインターネット経由で、前記講義の組み合わせを求める行為と認識することと、前記講義ペアの間で前記講義の内容を確認するフォームを送受信することと、前記講師会員アイコンＴ２を選択された側の前記講師会員Ｔまたは前記生徒会員アイコンＳ２を選択された側の前記生徒会員Ｓが、前記内容を確認同意すると前記フォームにて返信したとき、前記講義の仮約定であると認定することを特徴とする、前記メインサーバと接続されたシステム上の一部であり、仲介プログラムを主要部分とする講義ペア仲介部を備えた請求項１乃至８記載の電子商取引システム。
【請求項１３】
前記メインサーバとの協働により、前記生徒会員Ｓが前記約定価額を支払う際には、前記生徒会員Ｓが利用するインターネット上決済サービスのページを前記情報通信端末Ｓ１の画面に表示することと、前記生徒会員Ｓが利用する決済サービスを経由して前記約定価額を受け取り、預かることと、前記講義ペア仲介部との協働により、前記約定価額を預かった時点で前記講義の約定であると認定することを特徴とする、前記メインサーバと接続されたシステム上の一部であり、接続プログラムと口座管理プログラムを主要部分とする決済サービス部１を備えた請求項１乃至８記載の電子商取引システム。
【請求項１４】
前記メインサーバとの協働により、前記講師会員Ｔと前記生徒会員Ｓが約定したとするとき、前記通信メディアの提供体と通信することと、前記講義の開始時刻直前に、前記情報通信端末Ｔ１とＳ１間に、前記通信メディアを接続することを特徴とする、前記メインサーバと接続されたシステム上の一部であり、接続プログラムを主要部分とする通信メディア接続部を備えた請求項１乃至８記載の電子商取引システム。
【請求項１５】
前記メインサーバとの協働により、前記生徒会員Ｓが、前記講師会員Ｔから受けた前記講義に対して行う前記多段階評価を前記メインサーバに送信したとき、前記多段階評価と連動した前記分配比率を算定することと、これに前記約定価額を掛けることで、前記分配価額を算定することを特徴とする、前記メインサーバと接続されたシステム上の一部であり、算定プログラムを主要部分とする分配価額算定部を備えた請求項１乃至８記載の電子商取引システム。
【請求項１６】
前記メインサーバと前記分配価額算定部との協働により前記分配価額が算定された際には、前記講義を行った前記講師会員Ｔが利用するインターネット上決済サービスを経由して前記分配価額を支払うことを特徴とする、前記メインサーバと接続されたシステム上の一部であり、接続プログラムと口座管理プログラムを主要部分とする決済サービス部２を備えた請求項１乃至８記載の電子商取引システム。
【発明の詳細な説明】
【技術分野】
【０００１】
本発明は、電子商取引システムにおいて、会員間のリアルタイムでの有意情報伝達行為を会員間の商品売買とみなすことで、家庭教師等のインターネット上の通信
講義に利用できるシステムに関するものである。
【背景技術】
【０００２】
利用者が物品を出展し、その物品の購入希望者が落札、購入する形式のインターネット上電子商取引システムはすでに幅広く存在している。
【０００３】
インターネット上のメール、チャット、掲示板、テレビ電話等を利用した情報サイト、家庭教師サービスなど、「相手に情報を伝達する」ことを対象にした、有料または無料のシステムはすでに幅広く存在している。
【０００４】
オンライン対戦ゲームなど、利用者は運営体に対し通信ネットワーク上で会員登録をし、利用者間で上記通信ネットワーク上のゲーム等をプレイする形式のシステムはすでに幅広く存在している。
【先行技術文献】
【特許文献】
【０００５】
【特許文献１】特開２００８−１２９０８１
【特許文献２】特開２００２−２２９４３８
【特許文献３】特開２００２−３６９１６５
【特許文献４】特開２００３−２９６６０９
【発明の開示】
【発明が解決しようとする課題】
【０００６】
しかしながら、［背景技術］の項に記載した特徴を併せ持ち、無形の情報の価値を、該情報を受け取る者が評価することでその価値を算定し、電子商取引における売買可能な商品としてとらえるシステムは存在しなかった。また、インターネットを利用した家庭教師サービスにおいても、講義を提供する講師は、運営体に雇用された者であり、講師、生徒双方を「会員」として運営体に登録する形式のシステムは存在しなかった。本発明は、「講師」が「生徒」に提供する「講義」を電子商取引における「商品」とみなし、需要者である「生徒」が供給者である「講師」の提供する「講義」を評価し、その評価と「講師」の受取額を連動させることで「知のマーケット」を創設することを目的とするものである。
【課題を解決するための手段】
【０００７】
請求項１の発明は、インターネット上で電子商取引を運営するサーバ、各種プログラム、データ記録部、通信回線等から成るシステムであり、インターネットホームページ上で、２種類に分類した会員の会員登録受付手段を持つことと、上記２種類の会員のログイン受付手段を持つことと、上記２種類の会員間にて、該情報を受け取る者に取って有益な意味のある情報であり、かつ適法性、倫理性等において社会通念上許容範囲内である有意情報のリアルタイムでの有償伝達行為が行われるとき、会員の組み合わせと上記有償伝達行為の実行を仲介する手段と、上記有償伝達行為を電子商取引における商品として決済する手段を持つことを特徴とする電子商取引システムである。
【０００８】
請求項２の発明は、上記２種類の会員を講師会員と生徒会員と表し、上記有意情報のリアルタイムでの上記有償伝達行為を講義と表し、ログイン中の上記講師会員が上記生徒会員に講義を行い、上記生徒会員が上記講義の対価である約定価額を支払うとき、上記講義開始前に、上記生徒会員が利用するインターネット上決済サービスを経由して上記約定価額を受け取り、預かる手段を持つことと、上記約定価額を、上記講師会員が受け取る取り分である分配価額と、上記電子商取引システムの運営体の取り分に分配する手段を持つこと、上記講義終了後、上記分配価額を上記講師会員が利用するインターネット上決済サービスを経由して支払う決済手段を持つこと特徴とする［０００７］記載の電子商取引システムである。
【０００９】
請求項３の発明は、上記生徒会員が上記講義に対して行う多段階評価を、インターネットを通じて受信する手段を持つことと、上記約定価額に、上記多段階評価と連動した分配比率を掛けることで上記分配価額を算出する手段を持つことを特徴とする［０００７］または［０００８］記載の電子商取引システムである。
【００１０】
請求項４の発明は、上記講師会員のうちの任意の一名である講師会員Ｔがログイン中に利用する情報通信端末をＴ１と表し、上記生徒会員のうちの任意の一名である生徒会員Ｓがログイン中に利用する情報通信端末をＳ１と表すとき、上記講師会員Ｔまたは生徒会員Ｓがログインした際に、ログイン中の上記講師会員のアイコンである講師会員アイコンが一覧表示されたページとしての講師会員室と、ログイン中の上記生徒会員のアイコンである生徒会員アイコンが一覧表示されたページとしての生徒会員室を、上記情報通信端末Ｔ１またはＳ１の画面内に表示する手段を持つことを特徴とする［０００７］乃至［０００９］記載の電子商取引システムである。
【００１１】
請求項５の発明は、上記講師会員室内に表示された上記講師会員Ｔの上記講師会員アイコンをＴ２、上記生徒会員室内に表示された前記生徒会員Ｓの上記生徒会員アイコンをＳ２と表すとして、上記講師会員Ｔが上記アイコンＴ２を選択して当該会員が提供したい上記有意情報の種類、講義タイトル、簡易説明、所要時間、開始予定時刻、前記講義に利用する通信メディア、希望対価等の情報を前記講師会員アイコンＴ２内に入力するとき、または、上記生徒会員Ｓが上記アイコンＳ２を選択して当該会員が提供を受けたい上記有意情報の種類、講義タイトル、簡易説明、開始予定時刻、所要時間、上記講義に利用する通信メディア、希望対価等の情報を上記生徒会員アイコンＳ２内に入力するとき、この操作をインターネット経由で認識する手段を持つことと、上記前記講師会員アイコンＴ２または前記生徒会員アイコンＳ２内の情報の表示を更新する手段を持つことを特徴とする［０００７］乃至［００１０］記載の電子商取引システムである。
【００１２】
請求項６の発明は、上記講師会員が上記生徒会員アイコンから適当なものを選択指名するとき、または、上記生徒会員が上記講師会員アイコンから適当なものを選択指名するとき、この操作をインターネット経由で認識し、上記講義の組み合わせを求める行為と認識する手段を持つことと、この組み合わせが上記講師会員Ｔと上記生徒会員Ｓから成る講義ペアであるとしたとき、上記情報通信端末Ｔ１またはＳ１との間で上記講義の内容となる上記有意情報の種類、講義タイトル、簡易説明、開始予定時刻、所要時間、上記講義に利用する通信メディア、希望対価等の情報を確認するフォームを送受信する手段を持つことと、上記講師会員アイコンＴ２を選択された側の上記講師会員Ｔまたは上記生徒会員アイコンＳ２を選択された側の上記生徒会員Ｓが、上記内容を確認同意すると上記フォームにて返信したとき、上記講義の仮約定であると認定する手段を持つことを特徴とする［０００７］乃至［００１１］記載の電子商取引システムである。
【００１３】
請求項７の発明は、インターネット上決済サービスを経由して、上記生徒会員Ｓから、上記フォームにて確認同意された対価である上記約定価額を受け取る手段を持つことと、上記生徒会員Ｓから上記約定価額を受け取った時点で、上記講義の約定であると認定する手段を持つことを特徴とする［０００７］乃至［００１２］記載の電子商取引システムである。
【００１４】
請求項８の発明は、上記講師会員Ｔと上記生徒会員Ｓの間で約定された上記講義開始予定時刻直前に、上記情報通信端末Ｔ１とＳ１間に上記通信メディアを自動接続する手段を持つことを特徴とする［０００７］乃至［００１３］記載の電子商取引システムである。
【００１５】
請求項９の発明は、上記講師会員および上記生徒会員の会員登録の受付、会員ログインの受付、ログイン中の会員との通信、インターネット上決済サービスとの接続、上員が前記講義に利用する通信メディアの接続等の処理を行うことを特徴とする、インターネットと接続されたメインサーバを備えた［０００７］乃至［００１４］記載の電子商取引システムである。
【００１６】
請求項１０の発明は、上記メインサーバとの協働により、会員からインターネットを通じて上記メインサーバに送信された会員情報を、記録、管理することを特徴とする、上記メインサーバに接続されたシステム上の一部であり、会員登録の受付、会員情報を記録、管理するプログラム、データ保存部を主要部分とする会員情報管理部を備えた［０００７］乃至［００１４］記載の電子商取引システムである。
【００１７】
請求項１１の発明は、上記メインサーバと上記情報管理部との協働により、上記講師会員Ｔがログインしたときには、上記情報通信端末Ｔ１の画面上の上記講師会員室内に上記講師会員アイコンＴ２を、上記生徒会員Ｓがログインしたときには、上記情報通信端末Ｓ１の画面上の上記生徒会員室内に上記生徒会員アイコンＳ２を表示することと、当該会員の情報から適当なものを当該アイコン内に表示することと、ログイン中の会員本人が自己のアイコン内に情報を入力するとき、この操作をインターネット経由で認識することと、上記アイコン内の情報の表示を更新することを特徴とする、上記メインサーバに接続されたシステム上の一部であり、画面表示プログラムを主要部分とする会員アイコン表示部を備えた［０００７］乃至［００１４］記載の電子商取引システムである。
【００１８】
請求項１２の発明は、上記メインサーバとの協働により、上記講師会員Ｔが上記生徒会員アイコンから適当なものを選択指名するとき、または、上記生徒会員Ｓが上記講師会員アイコンから適当なものを選択指名するとき、この操作をインターネット経由で、上記講義の組み合わせを求める行為と認識することと、上記講義ペアの間で上記講義の内容を確認するフォームを送受信することと、上記講師会員アイコンＴ２を選択された側の上記講師会員Ｔまたは上記生徒会員アイコンＳ２を選択された側の上記生徒会員Ｓが、上記内容を確認同意すると上記フォームにて返信したとき、上記講義の仮約定であると認定することを特徴とする、上記メインサーバと接続されたシステム上の一部であり、仲介プログラムを主要部分とする講義ペア仲介部を備えた［０００７］乃至［００１４］の電子商取引システムである。
【００１９】
請求項１３の発明は、上記メインサーバとの協働により、上記生徒会員Ｓが前記約定価額を支払う際には、上記生徒会員Ｓが利用するインターネット上決済サービスのページを上記情報通信端末Ｓ１の画面に表示することと、上記生徒会員Ｓが利用する決済サービスを経由して前記約定価額を受け取り、預かることと、上記講義ペア仲介部との協働により、上記約定価額を預かった時点で上記講義の約定であると認定することを特徴とする、上記メインサーバと接続されたシステム上の一部であり、接続プログラムと口座管理プログラムを主要部分とする決済サービス部１を備えた［０００７］乃至［００１４］記載の電子商取引システムである。
【００２０】
請求項１４の発明は、上記メインサーバとの協働により、上記講師会員Ｔと上記生徒会員Ｓが約定したとするとき、上記通信メディアの提供体と通信することと、上記講義の開始時刻直前に、上記情報通信端末Ｔ１とＳ１間に、上記通信メディアを接続することを特徴とする、上記メインサーバと接続されたシステム上の一部であり、接続プログラムを主要部分とする通信メディア接続部を備えた［０００７］乃至［００１４］記載の電子商取引システムである。
【００２１】
請求項１５の発明は、上記メインサーバとの協働により、上記生徒会員Ｓが、上記講師会員Ｔから受けた上記講義に対して行う上記多段階評価を上記メインサーバに送信したとき、上記多段階評価と連動した上記分配比率を算定することと、これに上記約定価額を掛けることで、上記分配価額を算定することを特徴とする、上記メインサーバと接続されたシステム上の一部であり、算定プログラムを主要部分とする分配価額算定部を備えた［０００７］乃至［００１４］記載の電子商取引システムである。
【００２２】
請求項１６の発明は、上記メインサーバと上記分配価額算定部との協働により上記分配価額が算定された際には、上記講義を行った上記講師会員Ｔが利用するインターネット上決済サービスを経由して上記分配価額を支払うことを特徴とする、上記メインサーバと接続されたシステム上の一部であり、接続プログラムと口座管理プログラムを主要部分とする決済サービス部２を備えた［０００７］乃至［００１４］記載の電子商取引システムである。
【発明の効果】
【００２３】
「有意情報」を、該情報を受け取る者に取って有益な意味のあるものと規定し、「有意情報」の伝達行為を、「講義」として電子商取引における「商品」とみなすことにより、人間各個人が持つ学習、語学、技能、趣味、娯楽等に関する知識、情報、技能等の伝達能力を活用して収入を得る場を、多数の人間に提供することができる。また、当人にとって必要な「有意情報」を、当人が適当であると考える対価で、適当な相手から得る場を、多数の人間に提供することができる。
【００２４】
本発明システムを運営する「本部」に対し、利用希望者を「講師会員」と「生徒会員」に分けて会員登録を行い、ログイン中の会員のアイコンを「講師会員室」と「生徒会員室」に一覧表示し、アイコン内に提供したい、もしくは提供されたい「有意情報」の内容を表示することで、「講師会員」と「生徒会員」双方にとって適当な「講義」を行なう組み合わせを、会員が操作する情報端末上のアイコン選択により行なうことができるため、簡易に当人にとって必要な相手を見つけられる。
【００２５】
「生徒会員」が「講義」に対して支払った対価を「講師会員」と「本部」で分配する際、「講師会員」の取り分の分配比率を、「生徒会員」が「講義」に対して行なう多段階評価に連動させることで、システムの利用状況に対する評価に応じて、「講師会員」の分配額を変動させることができる。すなわち、上記多段階評価が高いときは、システムの利用状況が良いものとみなし、「講師会員」の分配額を多くし、上記多段階評価が低いときは、システムの利用状況が悪いものとみなし、「講師会員」の分配額を少なくする。これにより、「生徒会員」にとってわかりやすく、有意義な「講義」を行なうように、「講師会員」にインセンティブを与えることができる。また、本システムの運営体からみた場合、会員の利用状況が良ければ利用料を安く、利用状況が悪ければ利用料が高くなるようなシステムを構成できる。
【００２６】
需要者である生徒会員にとって、供給者である講師会員の選択が簡易であるため、何人か短時間、低額で試してみた中から最も良い相手を決めることがしやすい。
【００２７】
上記の設計思想に基づいた通信ネットワーク、電子商取引システムサーバ等を整えることで、多様な種類、形態の知識、情報、技能等を取引する場を創設することができる。この「知のマーケット」の参加者が知自らの知を自己研鑽することで知的空間が拡充され、マーケット規模の拡大につながる。
【図面の簡単な説明】
【００２８】
【図１】本発明の概念図
【図２】メインサーバを中心とした本部システム全体の関連図
【図３】会員登録時の会員情報管理部の関連図
【図４】会員ログイン時の会員アイコン表示部の関連図
【図５】講師会員室内のアイコン表示例
【図６】生徒会員室内のアイコン表示例
【図７】「オファー」時の講義ペア仲介部の関連図
【図８】約定価額預り時の決済サービス部１の関連図
【図９】通信メディア接続部の関連図
【図１０】分配価額算定時の分配価額算定部の関連図
【図１１】分配価額支払い時の決済サービス部２の関連図
【図１２】会員登録画面例
【図１３】オファーフォーム例
【図１４】オファー内容確認返信フォーム例
【図１５】約定価額支払いフォーム例
【図１６】別条件希望フォーム例１
【図１７】逆オファーフォーム例
【図１８】逆オファー内容確認返信フォーム例
【図１９】講義評価フォーム例
【図２０】多段階評価と分配比率の連動例
【発明を実施するための形態】
【００２９】
本発明の電子商取引システムを運営する運営体を以下本部（０１）と表す。本部（０１）に対して、有意情報を有償にて提供したい者は講師会員（０２）として、対価の支払いにより有意情報を受け取りたい者は生徒会員（０３）として、インターネットホームページ上で会員登録する。なお、本発明において有意情報とは、学習、語学、技能、趣味、娯楽等、該情報を受け取る者に取って有益な意味のある情報であり、かつ、適法性、倫理性等において社会通念上許容範囲内のものであると規定する。
【００３０】
講師会員（０２）が生徒会員（０３）に対して、インターネット上通信メディアを利用して、リアルタイムにて一定時間講義（０４）の形で有意情報の有償伝達行為を行うとき、本部（０１）はこの講師会員（０２）と生徒会員（０３）の組み合わせを講義ペア（０５）と認識する。講義（０４）開始前に、生徒会員（０３）は利用するインターネット上決済サービスを経由して約定価額（０６）を支払い、本部（０１）はいったんこれを預かる。本部（０１）は、約定価額（０６）を講師会員（０２）が受け取る取り分である分配価額（０７）と、本部（０１）の取り分に分配し、講義（０４）終了後、分配価額（０７）を講師会員（０２）が利用するインターネット上決済サービスを経由して支払う。
【００３１】
本部（０１）は生徒会員（０３）が講義（０４）に対して行う多段階評価（０８）を、インターネットを通じて受信し、約定価額（０６）に、多段階評価（０８）と連動した分配比率（０９）を掛けることで分配価額（０７）を算出する。ここで、本発明の概念図を図１に示す。また、多段階評価（０８）と分配比率（０９）の連動例は以降の実施例に示す。
【００３２】
本部（０１）は、本発明システムを作動するための本部システム（１０）を有する。これは、インターネットに接続されたメインサーバ（１１）、以下メインサーバ（１１）に接続された会員情報管理部（１２）、会員アイコン表示部（１３）、講義ペア仲介部（１４）、通信メディア接続部（１５）、分配価額算定部（１６）、決済サービス部（１７）、通信回線等から成るシステムである。
【００３３】
メインサーバ（１１）は、本部システム（１０）が有する、インターネットと接続されたサーバであって、講師会員（０２）および生徒会員（０３）の会員登録の受付、会員ログインの受付、ログイン中の会員との通信、インターネット上決済サービスとの接続、会員が講義（０４）に利用する通信メディアの接続等の処理を行うことを特徴とするものである。ここで、メインサーバ（１１）を中心とした本部システム（１０）全体の関連図を図２に示す。
【００３４】
会員情報管理部（１２）は、メインサーバ（１１）に接続されていて、会員登録の受付、会員情報を記録、管理するプログラム、データ保存部を主要部分とするシステム上の一部であって、メインサーバ（１１）との協働により、会員からインターネットを通じてメインサーバ（１１）に送信された会員情報を、記録、管理することを特徴とするものである。
【００３５】
講師会員（０２）と生徒会員（０３）は、まず、本部（０１）のインターネットホームページ上で会員登録を行う。本部（０１）は会員登録者に会員ＩＤとパスワードを発行する。会員は登録時に、氏名、ハンドルネーム、メールアドレス、以降に詳述する対価の支払いと受け取りに利用するインターネット上決済サービス関する情報と、当該個人の属性を示す付随情報を登録し、登録された会員情報は会員情報管理部（１２）に保存される。付随情報の登録は会員の任意によるものとする。メインサーバ（１１）と会員情報管理部（１２）の協働により、上記手順を実現するものとする。ここで、会員登録時の会員情報管理部（１２）の関連図を図３に示す。
【００３６】
以降、会員は本部（０１）のインターネットホームページ上の会員用サイトにログインして利用するものとする。また、以降、会員が本システムの利用時に用いるパソコン、携帯電話、スマートフォン等の情報通信端末を会員端末と表す。講師会員（０２）、生徒会員（０３）が会員端末を用いて本部（０１）のインターネットホームページ上の会員用サイトにアクセスすると、メインサーバ（１１）はこれを検知し、会員端末の画面上にログイン画面が表示される。会員が会員ＩＤとパスワードを入力して送信すると、メインサーバ（１１）はこれを検知し、会員ログインを行う。メインサーバ（１１）と会員情報管理部（１２）の協働により、上記手順を実現するものとする。
【００３７】
会員アイコン表示部（１３）は、メインサーバ（１１）に接続されていて、画面表示プログラムを主要部分とするシステム上の一部であって、メインサーバ（１１）と会員情報管理部（１２）との協働により、ログイン中の会員の会員画面に、ログイン中の講師会員（０２）のアイコンである講師会員アイコンが一覧表示されたページとしての講師会員室（１８）と、ログイン中の生徒会員（０３）のアイコンである生徒会員アイコンが一覧表示されたページとしての生徒会員室（１９）を表示する。
【００３８】
以降、講師会員（０２）のうちの任意の一名を講師会員Ｔと表し、Ｔがログイン中に利用する会員端末をＴ１と表し、生徒会員（０３）のうちの任意の一名を生徒会員Ｓと表し、Ｓがログイン中に利用する会員端末をＳ１と表す。講師会員Ｔがログインしたときには、会員端末Ｔ１の画面の講師会員室（１８）内に講師会員アイコンＴ２を、生徒会員Ｓがログインしたときには、会員端末Ｓ１の画面の生徒会員室（１９）内に生徒会員アイコンＳ２を表示する。当該会員の情報のから適当なものを当該アイコン内に表示する。また、ログイン中の会員本人が自己のアイコン内に情報を入力するとき、この操作をインターネット経由で認識し、上記アイコン内の情報の表示を更新することを特徴とするものである。メインサーバ（１１）と会員情報管理部（１２）と会員アイコン表示部（１３）の協働により、上記手順を実現するものとする。ここで、会員ログイン時の会員アイコン表示部（１３）の関連図を図４に示す。
【００３９】
会員アイコンには当該会員のハンドルネームと、付随情報のうち会員自身が選定する適当なものと、以降に示す内容が表示される。また、講師会員室（１８）と生徒会員室（１９）内の一部には有意情報検索タブ（２０）と講義履歴閲覧タブ（２１）と連絡ボックス（２２）とログアウトボタン（２３）を表示する。また、講師会員室（１８）内の一部にオファー取り消しボタン（２４）を、生徒会員室（１９）内の一部に逆オファー取り消しボタン（２１）を表示する。これらの機能については以降に説明する。メインサーバ（１１）と会員情報管理部（１２）と会員アイコン表示部（１３）の協働により、上記手順を実現するものとする。
【００４０】
講師会員アイコンを選択すると、会員画面においてそのアイコンは拡大表示され、当該会員のハンドルネームと、付随情報のうち、会員自身が選定する適当なものと、当該会員の講師側希望条件（２６）と、オファーボタン（２７）がアイコン内に表示される。講師側希望条件（２６）とは、提供したい有意情報の種類、講義タイトル、内容、開始予定時刻、所要時間、講義時に利用する通信メディア、講師側希望価額を表示するものである。アイコン内に表示される付随情報と講師側希望条件（２６）は、ログイン中の会員本人であれば、適宜適当な内容に入力し直すことが可能であり、アイコン内の表示は更新される。また、講師会員アイコン内の一部にフリースペース（２８）を表示する。メインサーバ（１１）と会員情報管理部（１２）と会員アイコン表示部（１３）の協働により、上記手順を実現するものとする。ここで、講師会員室（１８）内のアイコン表示例を図５に示す。
【００４１】
生徒会員アイコンを選択すると、会員画面においてそのアイコンは拡大表示され、当該会員のハンドルネームと、付随情報のうち、会員自身が選定する適当なものと、当該会員の生徒側希望条件（２９）と、逆オファーボタン（３０）がアイコン内に表示される。生徒側希望条件（２９）とは、提供を受けたい有意情報の種類、講義タイトル、内容、開始予定時刻、所要時間、講義時に利用する通信メディア、生徒側希望価額を表示するものである。アイコン内に表示される付随情報と生徒側希望条件（２９）は、ログイン中の会員本人であれば、適宜適当な内容に入力し直すことが可能であり、アイコン内の表示は更新される。また、生徒会員アイコン内の一部にフリースペース（２８）を表示する。メインサーバ（１１）と会員情報管理部（１２）と会員アイコン表示部（１３）の協働により、上記手順を実現するものとする。ここで、生徒会員室（１９）内のアイコン表示を図６に示す。
【００４２】
講義ペア仲介部（１４）は、メインサーバ（１１）と接続されていて、仲介プログラムを主要部分とするシステム上の一部であって、メインサーバ（１１）との協働により、講師会員Ｔが生徒会員アイコンから適当なものを選択指名するとき、または、生徒会員Ｓが講師会員アイコンから適当なものを選択指名するとき、この操作を、講義ペア（０５）を求める行為として認識する。さらに、講義ペア（０５）の間で以降に説明する確認フォームを送受信し、講師会員アイコンＴ２を選択された側の講師会員Ｔまたは生徒会員アイコンＳ２を選択された側の生徒会員Ｓが、フォーム内に記された内容を確認同意すると確認フォームにて返信したとき、これを講義（０４）の仮約定と認定することを特徴とするものである。
【００４３】
生徒会員Ｓが講師会員Ｔに対して「オファー」を出したときの講義ペア仲介部（１４）の働きについて説明する。生徒会員Ｓが講師会員アイコンＴ２内のオファーボタン（２７）を押下すると、会員端末Ｓ１に、オファーフォーム（３１）を表示する。オファーフォーム（３１）には、有意情報の種類、講義タイトル、簡易説明、開始予定時刻、所要時間、開始時刻、講義時に利用する通信メディア、生徒側希望価額を入力する欄と、送信ボタン（３２）を表示する。生徒会員Ｓは講師側希望条件（２６）を参考にして、オファーフォーム（３１）を入力し、送信ボタン（３２）で送信する。生徒会員Ｓが送信した「オファー」は、メインサーバ（１１）と講義ペア仲介部（１４）を経由して会員端末Ｔ１に送信され、講師会員端末Ｔ１の画面上にオファー内容確認返信フォーム（３３）を表示する。オファー内容確認返信フォーム（３３）には、生徒会員Ｓのハンドルネームと、Ｓがオファーフォーム（３１）にて送信した内容をそのまま表示する部分と、ＯＫボタン（３４）、お断りボタン（３５）、別条件希望ボタン（３６）を表示する。メインサーバ（１１）と会員アイコン表示部（１３）と講義ペア仲介部（１４）の協働により、上記手順を実現するものとする。ここで、「オファー」時の講義ペア仲介部（１４）の関連図を図７に示す。
【００４４】
講師会員Ｔが生徒会員Ｓに対して「逆オファー」を出したときの講義ペア仲介部（１４）の働きについて説明する。講師会員Ｔが生徒会員アイコンＳ２内の逆オファーボタン（３０）を押下すると、講師会員端末Ｔ１に、逆オファーフォーム（３７）を表示する。逆オファーフォーム（３７）には、有意情報の種類、講義タイトル、簡易説明、開始予定時刻、所要時間、講義時に利用する通信メディア、講師側希望価額を入力する欄と、送信ボタン（３２）を表示する。講師会員Ｔは生徒側希望条件（２９）を参考にして、逆オファーフォーム（３７）を入力し、送信ボタン（３２）で送信する。講師会員Ｔが送信した「逆オファー」は、メインサーバ（１１）と講義ペア仲介部（１４）を経由して生徒会員端末Ｓ１に送信され、生徒会員端末Ｓ１の画面上に逆オファー内容確認返信フォーム（３８）を表示する。逆オファー内容確認フォーム（３８）には、講師会員Ｔのハンドルネームと、Ｔが逆オファーフォーム（３７）にて送信した内容をそのまま表示する部分と、ＯＫボタン（３４）、お断りボタン（３５）、別条件希望ボタン（３６）が表示される。メインサーバ（１１）と会員アイコン表示部（１３）と講義ペア仲介部（１４）の協働により、上記手順を実現するものとする。
【００４５】
「オファー」または「逆オファー」に講師会員Ｔまたは生徒会員Ｓが応答する形で、講義（０４）は約定されるか、もしくは不成立となる。このときの講義ペア仲介部（１４）と会員端末Ｔ１またはＳ１の間でのフォームのやりとりについては以降の実施例にて示す。
【００４６】
ここで説明するインターネット上決済サービスとは、ネットバンク、電子マネー等その利用者がインターネット上で決済可能なものを指す。本部（０１）は、複数種類のインターネット上決済サービス提供体（３９）が提供する決済サービスの口座を用意することにより、会員が決済に利用できるようにしておく。講師会員（０２）と生徒会員（０３）は、以降に示す実施例の会員登録時において、本システムの利用時に決済に用いる決済サービスを選択する。
【００４７】
決済サービス部（１７）は、決済サービス部１（４０）と、決済サービス部２（４６）から構成される。決済サービス部１（４０）は、メインサーバ（１１）と接続されていて、接続プログラムと口座管理プログラムを主要部分とするシステム上の一部であって、メインサーバ（１１）との協働により、生徒会員Ｓが約定価額（０６）を支払う際には、生徒会員Ｓが利用するインターネット上決済サービスＣ（４１）のページを生徒会員端末Ｓ１の画面に表示することと、生徒会員Ｓが利用する決済サービスＣ（４１）を経由して約定価額（０６）を受け取り、預かることと、講義ペア仲介部（１４）との協働により、約定価額（０６）を預かった時点で講義（０４）の約定であると認定することを特徴とするものである。
【００４８】
講義ペア（０５）が成立し、講義ペア仲介部（１４）がオファー返信フォーム（３３）または逆オファー返信フォーム（３８）にて、講師会員Ｔと生徒会員Ｓの間で講義内容の同意の成立を確認したとき生徒会員端末Ｓ１の画面内に約定価額支払いフォーム（４２）を表示する。約定価額支払いフォーム（４２）内には、双方が同意した約定価額（０６）、生徒会員Ｓが利用する決済サービスＣ（４１）、支払いボタン（４３）が表示される。生徒会員Ｓが支払いボタン（４３）を押下すると、生徒会員端末Ｓ１の画面内に決済サービスＣ（４１）のページが表示される。生徒会員Ｓは決済サービスＣ（４１）にログインし、金額を入力し、支払いを行う。支払われた約定価額（０６）はいったん決済サービス１（４０）が管理する口座に入金され、本部（０１）はこれを預かり、同時に、講義ペア仲介部（１４）はこの時点で講義（０４）の約定であると認定する。メインサーバ（１１）と講義ペア仲介部（１４）と決済サービス部１（４０）の協働により、上記手順を実現するものとする。ここで、約定価額預り時の決済サービス部１（４０）の関連図を図８に示す。
【００４９】
通信メディア接続部（１５）は、メインサーバ（１１）と接続されていて、接続プログラムを主要部分とするシステム上の一部であって、メインサーバ（１１）との協働により、講義時に利用する通信メディアの提供体と通信することと、講師会員Ｔと生徒会員Ｓが講義（０４）を約定したとするとき、この講義（０４）の開始予定時刻直前に、会員端末Ｔ１とＳ１間に、上記の通信メディアを自動接続することを特徴とするものである。ここで、通信メディア接続部（１５）の関連図を図９に示す。
【００５０】
講義時に利用する通信メディアについて補足説明する。ここで説明する通信メディアとは、通信メディア提供体（４４）により、インターネット上での通信を可能とするチャット、音声通信、テレビ電話等、リアルタイムで複数の人間が相互通信、意思疎通ができるツールのことであり、対応ソフト、ウェブカメラ等を搭載したパソコン、スマートフォン等を情報通信端末として利用するものである。講師会員または生徒会員は、オファーフォーム（３１）または逆オファーフォーム（３７）において、当該会員の会員端末で通信料無料にて利用可能で、講義内容に適したものを選択すると想定する。通信メディアが講義ペア（０５）双方の会員端末に接続されると、約定された開始予定時刻より、この通信メディアを利用して、約定された所要時間講義が実施されると想定する。
【００５１】
講義（０４）終了時の処理について説明する。メインサーバ（１１）と講義ペア仲介部（１４）と通信メディア接続部（１５）の協働により、講義ペア（０５）が生徒会員Ｓと講師会員Ｔであるとき、講義時間中の会員端末Ｓ１の会員画面の隅に講義終了ボタンを表示する。原則として、約定所定時間経過時に生徒会員Ｓが講義終了ボタンを押下するものとし、講義ペア仲介部（１４）は講義終了ボタンの押下を検知して講義完了と認識する。講義時間が短縮される場合と延長される場合の終了処理については以降の実施例にて示す。講義終了直後、生徒会員端末Ｓ１の画面に講義評価フォーム（４５）を表示する。
【００５２】
分配価額算定部（１６）は、メインサーバ（１１）と接続されていて、算定プログラムを主要部分とするシステム上の一部であって、メインサーバ（１１）との協働により、生徒会員Ｓが講師会員Ｔから受けた講義（０４）に対して行う多段階評価（０８）をメインサーバ（１１）に送信したとき、多段階評価（０８）と連動した分配比率（０９）を算定することと、これに約定価額（０６）を掛けることで、分配価額（０７）を算定することを特徴とするものである。
【００５３】
多段階評価（０８）と分配比率（０９）について補足説明する。生徒会員Ｓは、講義終了直後、生徒会員端末Ｓ１の画面に表示される講義評価フォーム（４５）にて多段階評価（０８）を行うものとする。講義評価フォーム（４５）内には送信ボタン（３２）が表示され、これを押下して、多段階評価（０８）をメインサーバ（１１）に送信する。メインサーバ（１１）はこれを分配価額算定部（１６）に送信する。生徒会員（３）に対して、講義終了後に多段階評価（０８）を送信してもらうことを、［００３５］記載の会員登録時における本発明システムの利用規約の一部として事前同意を求める。なお、講義終了後、多段階評価（０８）が一定時間送信されない場合は、その中で最低評価の扱いとする。メインサーバ（１１）と講義ペア仲介部（１４）と通信メディア接続部（１５）の協働により、上記手順を実現するものとする。
【００５４】
分配価額算定部（１６）は、この部門が有する分配率算定プログラムを作動させて、多段階評価（０８）と連動した分配比率（０９）を算出する。これに約定価額（０６）を掛けて分配価額（０７）を算出する。多段階評価（０８）が高いほど講師会員の分配比率（０９）を高く、評価が低いほど分配比率（０９）を低く設定する。具体的な連動例は以降の実施例にて示す。算出された分配価額（０７）を決済サービス部２（４６）に送信する。メインサーバ（１１）と分配価額算定部（１６）の協働により、上記手順を実現するものとする。ここで、分配価額算定時の分配価額算定部（１６）の関連図を図１０に示す。
【００５５】
決済サービス部２（４６）は、メインサーバ（１１）と接続されていて、接続プログラムと口座管理プログラムを主要部分とするシステム上の一部であって、メインサーバ（１１）との協働により、分配価額算定部（１６）により分配価額（０７）が算定された際には、講義（０４）を行った講師会員Ｔの利用するインターネット上決済サービスＤ（４７）を経由して分配価額（０７）を支払うことを特徴とするものである。ここで、分配価額支払い時の決済サービス部２の関連図を図１１に示す。
【００５６】
以上が本発明の基本設計であり、以下はその他補足事項について説明する。
【００５７】
有意情報検索タブ（２０）は、講師会員室（１８）内または生徒会員室（１９）内において、特定の種類の有意情報に関するものを検索、選択し、関連する講師会員アイコンまたは生徒会員アイコンを表示することを特徴とするものである。講師会員（０２）または生徒会員（０３）はログイン後、有意情報検索タブ（２０）を押下し、自らの目的に沿った有意情報を検索、選択してその関連の会員アイコンを表示することで本システムを利用するものと想定する。  
【００５８】
会員情報管理部（１２）は講義タイトル、約定価額（０６）、分配価額（０７）、多段階評価（０８）等を「講義履歴」として記録する。講師会員室（１８）と生徒会員室（１９）の一部に講義履歴閲覧タブ（２１）を設置し、ログイン中の講師会員または生徒会員が検索したい会員のハンドルネームを入力、選択すると、その会員の講義履歴を検索、閲覧できるものとする。メインサーバ（１１）と会員情報管理部（１２）と会員アイコン表示部（１３）の協働により、上記手順を実現するものとする。
【００５９】
講師会員は講義が約定された時点で講義履行の義務を負うものであり、原則として所定時間の講義完了時点で契約が完了したとみなす。講義開始予定時刻よりある一定時間講義が履行されなかったときは契約破棄とみなし、約定価額（０６）支払いの手続きはキャンセルされる。メインサーバ（１１）と会員情報管理部（１２）と会員アイコン表示部（１３）と決済サービス部（１７）の協働により、上記手順を実現するものとする。
【００６０】
所定時間終了前の講義の短縮終了については生徒会員側がその権利を持ち、所定時間終了後の講義の延長については講師会員側が権利を持つものとする。終了処理についての講師会員（０２）と生徒会員（０３）のやり取りについては以降の実施例にて示す。
【００６１】
講師会員Ｔまたは生徒会員Ｓがログアウトボタン（２３）を押下すると講師会員端末Ｔ１または生徒会員端末Ｓ１の画面内にログアウト確認フォームが表示され、このフォーム内のログアウトボタンを押下すると、ログアウトが実行され、講師会員室（１８）内の講師会員アイコンＴ２または生徒会員室（１９）内の生徒会員アイコンＳ２の表示は消滅する。メインサーバ（１１）と会員アイコン表示部（１３）の協働により、上記手順を実現するものとする。
【００６２】
本システムを運営する本部（０１）のインターネットホームページ上に、「会員登録受付ボタン」、「ログインボタン」、「会員情報変更受付ボタン」を表示する。講師会員（０２）または生徒会員（０３）は、利用するインターネット上決済サービス等、会員情報に変更がある場合、「会員情報変更受付ボタン」を押下してログインし、会員情報の更新を行う。更新された会員情報は会員情報管理部（１２）に保存される。メインサーバ（１１）と会員情報管理部（１２）の協働により、上記手順を実現するものとする。
【００６３】
［００２９］に記載した通り、本発明において「有意情報」とは「その情報を受け取る者にとって有益な意味のある情報であり」、同時に「適法性、倫理性等において社会通念上許容される範囲内のもの」（A）と規定するが、その判断は原則として会員の自己判断に委ねるものとする。ただし、悪用防止策として［００３５］記載の会員登録時における本システムの利用規約の一部として以下に記載する事項の事前同意を求める。（B）本部（１）の判断により（A）を明白に違反する行為を発見した場合、当該会員にメールで警告する。（C）違反が繰り返される、または重大な違反の場合は、会員IDを抹消する、（D）重大な犯罪行為を発見した場合、捜査機関等に通報、情報提供することもありうる。（B）、（C）、（D）の内容を利用者規約内に記述し、これに同意した者のみその先の会員登録に進めるものとする。メインサーバ（１１）と会員情報管理部（１２）の協働により、上記手順を実現するものとする。
【００６４】
以上に記載した実施形態をもとに、以下に実施例、すなわち会員登録からログイン、講義ペアの設定、講義約定、講義実施、対価支払いまでの流れを示す。文中の画面表示等は本部システム（１０）内の各部の作動により実行される。また、これ以降示す図面は図２０を除き、全て講師会員端末Ｔ１または生徒会員端末Ｓ１の画面内に表示される例である。
【００６５】
本システムを講師会員（０２）として登録を希望する者をＴとするとき、Ｔが情報通信端末Ｔ１で本部（０１）ホームページにアクセスし、会員登録する場合の例を示す。まず、Ｔは本部（０１）ホームページ内に設置された「会員登録ボタン」をクリックする。このとき、メインサーバ（１１）と会員情報管理部（１２）の協働により、情報通信端末Ｔ１の画面内に図１２に示す会員登録画面例を表示する。Ｔは図１２内の最上段の「講師会員」を選択し、氏名、ハンドルネーム、メールアドレス、利用時のインターネット上決済サービス等を選択、入力し、下部の確認ボタン（４８）を押下する。すると、情報通信端末Ｔ１の画面内に、利用規約と、図１２と同内容の「会員登録確認画面」が表示される。利用規約には実施形態の中で記載した注意事項を盛り込み、同意した者のみ先に進めるものとする。Ｔは利用規約に同意し、「会員登録確認画面」内の内容を確認し、修正箇所がある場合は「会員登録確認画面」内の「修正ボタン」を押下して図１２に戻りこれを修正し、修正箇所が無い場合は「会員登録確認画面」内の送信ボタン（３２）を押下する。Ｔが送信を完了するとメインサーバ（１１）はこれを検知し、会員情報管理部（１２）に送信する。会員情報管理部（１２）は記入内容を確認、保存して図１２内に記入されたメールアドレスに、講師会員Ｔの会員ＩＤを送付し、パスワードの設定を行う。また、その後、決済時に利用するインターネット上決済サービスの設定を行う。これらの設定については従来からある技術で実行可能なものである。会員ＩＤ、パスワードの設定を終えた講師会員Ｔは、本部（０１）のインターネットホームページ上の「ログインボタン」からログインして利用する。
【００６６】
本システムを生徒会員（０３）として利用することを希望する者Ｓが会員登録する場合も、［００６５］に記載したものと同様の流れをたどるものとする。Ｓは図１２内の最上段の「生徒会員」を選択、以下の項目を選択、入力し、下部の確認ボタン（４８）を押下する。以降の登録完了、ログインについても同様である。
【００６７】
会員ログインから講師会員室（１８）、生徒会員室（１９）のアイコン表示について、実施形態にて記載したことに基づいて補足説明を行う。講師会員Ｔが「ログインボタン」を押下すると、講師会員端末Ｔ１の画面上に「ログイン受付画面」が表示され、講師会員Ｔは、これに会員ＩＤとパスワードを入力してログインする。ログインが完了すると、講師会員端末Ｔ１の画面内に講師会員室と生徒会員室が表示される。ログイン直後は、講師会員室内の１ページ目に講師会員アイコンＴ２が表示されるものとする。上記手順は生徒会員Ｓの場合も同様である。メインサーバ（１１）と会員情報管理部（１２）と会員アイコン表示部（１３）の協働により、上記手順を実現するものとする。
【００６８】
図０５内において、吹き出しが付いて拡大表示されているアイコンが講師会員アイコンＴ２である。講師会員ＴのみアイコンＴ２内の表示を入力、書き換えが可能である。メインサーバ（１１）と会員アイコン表示部（１３）の協働により、講師会員Ｔの操作に連動して、アイコン内の表示が更新される。講師会員Ｔはログイン後、自らのアイコンＴ２を選択し、提供したい有意情報の種類、講義タイトル、講師側希望価額等の講師側希望条件（２６）を入力し、オファーに備える。以上に記載したことは図０６内の生徒会員アイコンＳ２についても同様であり、生徒会員Ｓはログイン後、自らのアイコンＳ２を選択し、提供を受けたい有意情報の種類、講義タイトル、生徒側希望価額等の生徒側希望条件（２９）を入力し、逆オファーに備える。
【００６９】
会員アイコン内のフリースペース（２８）の利用については会員の任意とする。一例として、フリースペース（２８）内に写真、キャラクター等の中からある一定のサイズ内のものを添付することを可能とする。フリースペース内の表示については各種付随情報と同様の扱いであり、ログイン中の会員本人であれば、適宜適当な内容に入力し直すことが可能であり、アイコン内の表示は更新される。メインサーバ（１１）と会員情報管理部（１２）と会員アイコン表示部（１３）の協働により、上記手順を実現するものとする。
【００７０】
生徒会員Ｓが講師会員Ｔにオファーを出す場合の例を以下に記す。生徒会員Ｓが図０５内の講師会員アイコンＴ２の下部にあるオファーボタン（２７）を押下すると、図１３に示すオファーフォーム例（３１）がＳ１の会員画面に表示される。オファーフォーム例（３１）には、生徒会員Ｓのハンドルネームから講師会員Ｔへ、有意情報の種類、講義タイトル、簡易説明、開始予定時刻、所要時間、講義時に利用する通信メディア、生徒側希望価額を入力する欄と、送信ボタン（３２）が表示される。Ｓは講師側希望条件（２６）を参考にして、オファーフォーム例（３１）を入力し、送信ボタン（３２）で送信する。生徒会員Ｓが「オファー」を送信すると直ちに、講師会員端末Ｔ１の画面上に、図１４に示すオファー内容確認返信フォーム例（３３）が表示される。オファー内容確認返信フォーム例（３３）には、生徒会員Ｓのハンドルネームと、Ｓがオファーフォーム例（３１）にて送信した内容がそのまま表示される部分と、ＯＫボタン（３４）、お断りボタン（３５）、別条件希望ボタン（３６）が表示される。
【００７１】
ここで、講師会員Ｔは［００７０］記載のオファーに対して以下の［００７１］、［００７２］、［００７３］に記載する３通りのうちいずれかの対応を取るものとする。
【００７２】
同意する場合はＯＫボタン（３４）を押下する。この時点で講師会員Ｔは生徒側希望価額に同意したものとみなし、講義ペア仲介部（１４）は生徒側希望価額を約定価額（０６）として認識する。直ちに、生徒会員端末Ｓ１の画面上に、図１５に示す約定価額支払いフォーム例（４２）が表示される。約定価額支払いフォーム例（４２）には講師会員Ｔがオファーに同意したことと、当該生徒会員Ｓが支払いに利用するインターネット上決済サービスＣ（４１）、支払いボタン（４３）が表示される。生徒会員Ｓはオファー内容を最終確認した上で支払いボタン（４３）を押下する。生徒会員Ｓがインターネット上決済サービスＣ（４１）経由で支払った約定価額（０６）は一旦本部（０１）が有する決済サービスＣ（４１）の受け取り口座に送信され、本部（０１）はこれを預かる。講義ペア仲介部（１４）は、この時点で講義（０４）の約定であると認定し、講師会員Ｓは生徒会員Ｔに対して講義提供の義務を負うものとする。約定された開始予定時刻直前に、通信メディア接続部（１５）は会員端末Ｔ１とＳ１に通信メディアを自動接続し、講義（０４）が開始される。メインサーバ（１１）と会員アイコン表示部（１３）と講義ペア仲介部（１４）と通信メディア接続部（１５）の協働により、上記手順を実現するものとする。なお、約定価額（０６）支払いと講義時の講義時利用通信メディアに関しては以降に詳述する。
【００７３】
オファーを断る場合、オファー内容確認返信フォーム例（３３）内に表示されるお断りボタン（３５）を押下する。講義ペア仲介部（１４）は講師会員Ｔと生徒会員Ｓの間に講義ペア（０５）は不成立であると認識し、その直後生徒会員端末Ｓ１の画面上にオファーお断りフォーム例１が送信される。オファーお断りフォーム例１には講師会員Ｔがオファーに同意しなかったことが表示される。この時点でオファーは不成立となる。メインサーバ（１１）と会員アイコン表示部（１３）と講義ペア仲介部（１４）の協働により、上記手順を実現するものとする。
【００７４】
別条件を希望する場合は別条件希望ボタン（３６）を押下する。このとき講義ペア仲介部（１４）はこれを認識し、その直後、講師会員端末Ｔ１の画面上に、図１６に示す別条件希望フォーム例１が表示される。別条件希望フォーム例１には有意情報の種類、講義タイトル、簡易説明、開始予定時刻、所要時間、講義時に利用する通信メディア、講師側希望価額を入力する欄と、送信ボタン（３２）が表示される。講師会員がこれを入力して送信ボタン（２６）を押下すると、講義ペア仲介部（１４）はこれを認識し、その直後Ｓ１の会員画面に別条件内容確認返信フォーム例１が表示される。別条件内容確認返信フォーム例１には講師会員が入力した別条件と、ＯＫボタン（３４）、お断りボタン（３５）、が表示される。講義ペア仲介部（１４）は以上に説明した別条件フォーム例１を逆オファーフォーム例（３７）と同種のものであると認識する。よって生徒会員Ｓの別条件内容確認返信フォーム例１への対応と講義ペア仲介部（１４）の動作は、［００７５］乃至［００７９］に記載の「逆オファー」時に説明するものと同様である。メインサーバ（１１）と会員アイコン表示部（１３）と講義ペア仲介部（１４）の協働により、上記手順を実現するものとする。
【００７５】
講師会員Ｔが生徒会員Ｓに逆オファーを出す場合の例を以下に記す。講師会員Ｔが図０６内の生徒会員アイコンＳ２の下部にある逆オファーボタン（３０）を押下すると、図１７に示す逆オファーフォーム例（３７）が講師会員端末Ｔ１の会員画面に表示される。逆オファーフォーム例（３７）には有意情報の種類、講義タイトル、簡易説明、開始予定時刻、所要時間、講義時に利用する通信メディア、講師側希望価額を入力する欄と、送信ボタン（３２）が表示される。講師会員Ｔは生徒側希望条件（２９）を参考にして、逆オファーフォーム（３７）を入力し、送信ボタン（３２）で送信する。講師会員Ｔが「逆オファー」を送信すると直ちに、生徒会員端末Ｓ１の画面上に、図１８に示す逆オファー内容確認返信フォーム例（３８）が表示される。逆オファー内容確認返信フォーム例（３８）には、講師会員Ｔのハンドルネームと、講師会員Ｔが逆オファーフォーム例（３７）にて送信した内容がそのまま表示される部分と、ＯＫボタン（３４）、お断りボタン（３５）、別条件希望ボタン（３６）が表示される。
【００７６】
ここで、生徒会員Ｓは［００７５］記載の逆オファーに対して以下の［００７７］、［００７８］、［００７９］に記載する３通りのうちいずれかの対応を取るものとする。
【００７７】
同意する場合はＯＫボタン（３４）を押下する。この時点で生徒会員Ｓは講師側希望価額に同意したものとみなし、講義ペア仲介部（１４）は講師側希望価額を約定価額（０６）として認識する。直ちに、生徒会員端末Ｓ１の画面上に約定価額支払いフォーム例（４２）が表示される。これと同時に講師会員端末Ｔ１の画面上には生徒会員Ｓが逆オファーに応じたことを示す「逆オファー承諾フォーム」が表示される。約定価額支払いフォーム例（４２）については［００７２］に記載の説明と同様である。講義ペア仲介部（１４）は、約定価額（０６）が支払われた時点で講義（０４）約定であると認定し、講師会員Ｔは生徒会員Ｓに対して講義提供の義務を負うものとする。約定された開始予定時刻直前に、通信メディア接続部（１５）は会員端末Ｔ１とＳ１に通信メディアを自動接続し、講義（０４）が開始される。メインサーバ（１１）と会員アイコン表示部（１３）と講義ペア仲介部（１４）と通信メディア接続部（１５）の協働により、上記手順を実現するものとする。なお、約定価額（０６）支払いと講義時の通信メディア利用に関しては以降に詳述する。
【００７８】
逆オファーを断る場合、逆オファー内容確認返信フォーム例（３８）内に表示されるお断りボタン（３５）を押下する。講義ペア仲介部（１４）は講師会員Ｔと生徒会員Ｓの間に講義ペア（０５）は不成立であると認識し、その直後生徒会員端末Ｓ１の画面上にお断りフォーム例２が表示される。お断りフォーム例２には講師会員がオファーに同意しなかったことが表示される。この時点で逆オファーは不成立となる。メインサーバ（１１）と会員アイコン表示部（１３）と講義ペア仲介部（１４）の協働により、上記手順を実現するものとする。
【００７９】
別条件を希望する場合は別条件希望ボタン（３６）を押下する。このとき講義ペア仲介部（１４）はこれを認識し、その直後、生徒会員端末Ｓ１の画面上に別条件希望フォーム例２が表示される。別条件希望フォーム例２には有意情報の種類、講義タイトル、簡易説明、開始予定時刻、所定時間、講義時に利用する通信メディア、生徒側希望価額を入力する欄と、送信ボタン（３２）が表示される。生徒会員Ｓがこれを入力して送信ボタン（３２）を押下すると、講義ペア仲介部（１４）はこれを認識し、その直後、講師会員端末Ｔ１の画面上に別条件内容確認フォーム例２が表示される。別条件内容確認フォーム例２には生徒会員Ｓが入力した別条件と、ＯＫボタン（３４）、お断りボタン（３５）、が表示される。講義ペア仲介部（１４）は以上に説明した別条件フォーム例２をオファーフォーム例（３１）と同種のものであると認識する。よって講師会員Ｔの別条件内容確認フォーム例２への対応と講義ペア仲介部（１４）の動作は、［００７０］乃至［００７４］に記載の「オファー」時に説明したものと同様である。メインサーバ（１１）と会員アイコン表示部（１３）と講義ペア仲介部（１４）の協働により、上記手順を実現するものとする。
【００８０】
オファーまたは逆オファーが約定される前に途中で取り消す場合の処理について説明する。生徒会員Ｓが約定前にオファーを取り消す場合、講師会員室（１８）の一部に表示するオファー取り消しボタン（２４）を押下する。講義ペア仲介部（１４）はこれを検知し、直ちに講師会員端末Ｔ１の画面上に「オファー取り消し通知フォーム」を表示する。この時点でオファーに関する処理は取り消しとなる。講師会員Ｔが約定前に逆オファーを取り消す場合、生徒会員室（１９）の一部に表示する逆オファー取り消しボタン（２５）を押下する。講義ペア仲介部（１４）はこれを検知し、直ちに生徒会員端末Ｓ１の画面上に「逆オファー取り消し通知フォーム」を表示する。この時点で逆オファーに関する処理は取り消しとなる。
【００８１】
生徒会員Ｓのオファーを講師会員Ｔが承諾し、講義（０４）が約定された場合の約定価額（０６）支払いと講義時利用通信メディアについて説明する。図１３のオファーフォーム例（３１）と図１５の約定価額支払いフォーム例（４２）において、講義時利用通信メディアとして通信メディアＭ、約定価額支払いインターネット上決済サービスとして決済サービスＣが選択されたものとして説明する。
【００８２】
生徒会員Ｓが図１５内の支払いボタン（４３）を押下すると、メインサーバ（１１）と会員アイコン表示部（１３）と決済サービス部１（４０）の協働により、生徒会員端末Ｓ１の画面上に決済サービスＣ（４１）のページが表示される。生徒会員Ｓは決済サービスＣ（４１）にログインし、本部（０１）が有する決済サービスＣ（４１）の口座に約定価額（０６）を入金する。メインサーバ（１１）と決済サービス部１（４０）の協働により、約定価額（０６）の入金を認識した時点で講義ペア仲介部（１４）は講義（０４）の約定を認定する。その直後、講師会員端末Ｔ１と生徒会員端末Ｓ１に「講義約定フォーム」を通知し、講義（０４）の約定を知らせる。
【００８３】
講義（４）約定後、講師会員Ｔが講師会員室（１８）内に、生徒会員Ｓが生徒会員室内（１９）にログイン状態を保ち続けるかどうかは当該会員の任意とする。ただし、講義開始予定時刻より一定時間前からはＴとＳ双方ともログイン状態であるものとする。［００６５］記載の会員登録時における本発明システムの利用者規約の一部として事前同意を求める。上記一定時間は本部（０１）が定める。また、講義開始予定時刻より上記一定時間前からは当該会員アイコン中のオファーボタン（２３）と逆オファーボタン（２５）は表示されない。講義終了まではこの状態であり、このときはオファー、逆オファーの受付は停止される。
【００８４】
講義開始予定時刻直前に達すると、メインサーバ（１１）と通信メディア接続部（１５）の協働により、ログイン中の講師会員端末Ｔ１と生徒会員端末Ｓ１間に、通信メディアＭが自動接続される。その後、約定された所要時間講義が実施されると想定する。
【００８５】
講義を通常終了処理または短縮終了する場合について説明する。生徒会員Ｓは、約定講義所定時間経過前または経過時に、講義時間中の会員端末Ｓ１の会員画面の隅に表示される「講義終了ボタン」を押下することで、短縮終了の意思表示を可能とする。通信メディア接続部（１５）は、「講義終了ボタン」の押下を検知すると、メインサーバ（１１）との協働により、講師会員端末Ｔ１と生徒会員端末Ｓ１の双方の画面内に、生徒会員Ｓの終了意思を確認する「終了確認フォーム」を表示する。講師会員Ｔと生徒会員Ｓ双方で講義終了について確認し、改めて講義終了ボタン（３７）が押下された場合のみ、その時点での講義終了と認定する。
【００８６】
講義を延長して終了する場合について説明する。約定講義所定時間の経過後、講師会員端末Ｔ１の画面の隅にも「講義終了ボタン」が表示される。所定時間経過後に講師会員Ｔまたは生徒会員Ｓは「講義終了ボタン」を押下することで、短縮終了の意思表示を可能とする。通信メディア接続部（１５）は、「講義終了ボタン」の押下を検知すると、メインサーバ（１１）との協働により、講師会員端末Ｔ１と生徒会員端末Ｓ１の双方の画面内に、生徒会員Ｓの終了意思を確認する「終了確認フォーム」を表示する。講師会員Ｔと生徒会員Ｓ双方で講義終了について確認し、改めてどちらかが「講義終了ボタン」を押下した時点での講義終了と認定する。
【００８７】
講義終了直後、生徒会員端末Ｓ１の画面上に図１９に示す講義評価フォーム例（４５）を表示する。講義評価フォーム例（４５）には多段階評価入力欄と送信ボタン（３２）を表示する。生徒会員Ｓは多段階評価入力欄に入力し、送信ボタン（３２）を押下することで本部メインサーバ（１１）に送信する。メインサーバはこれを分配価額算定部（１６）に送信する。
【００８８】
多段階評価（０８）と分配比率（０９）の連動例を示す。講義評価フォーム例（３８）中の多段階評価（０８）が１から１０までの１０段階評価であるとする。評価１のときは分配比率４０％、評価２のときは分配比率４５％、以下同様にして評価１０のときは分配比率９０％とする。これを表したものが図２０に示す多段階評価（０８）と分配比率（０９）の連動例である。
【００８９】
講義（０４）を行った講師会員Ｔの利用するインターネット上決済サービスは決済サービスＤ（４７）であるとする。分配価額算定部（１６）により分配価額（０７）が算定されると、決済サービス部２（４６）は、メインサーバ（１１）との協働により決済サービスＤ（４７）にアクセスし、本部（０１）が有する決済サービスＤ（４７）の口座から講師会員の口座へ分配価額（０７）が入金される。以上で講義ペアの選定から講義の約定、約定価額支払い、通信メディア接続、講義実施、多段階評価送信、分配価額受け取りまでの一連の流れが完了する。
【００９０】
連絡ボックス（２２）の利用例について説明する。約定価額（０６）に比べて講義（０４）のレベルが著しく低いなどの問題があった場合、生徒会員（０３）は連絡ボックス（２２）を押下し、その問題を本部（０１）に通知することを可能とする。本部（０１）は通知を受けると、メールでその講義（０４）を行った講師会員（０２）に警告し、会員情報管理部（１２）は［００５８］記載の「講義履歴」の一部としてこの警告を記録し、講義記録閲覧タブ（２１）による検索で表示されるようにする。また、講師会員または生徒会員に利用規約に反する行為があった場合、その相手方の会員が本部に通告することができる。メインサーバ（１１）と会員情報管理部（１２）の協働により、上記手順を実現するものとする。
【産業上の利用可能性】
【００９１】
塾や家庭教師などの教育産業関連産業に利用することができる。一般的に教育産業関連企業が業容を拡大する場合、会員数（生徒数）の増加に強く相関して会員管理の事務的業務が増大する。また、雇用する講師の労務管理も強く相関する。しかし、本発明システムの場合は、会員登録した「講師会員」、「生徒会員」双方を、電子商取引におけるマーケットプレイヤーとみなすことができる。このため、会員数増加に伴う「本部」の主な負担増過分とは、登録会員情報の管理、通信システムの負荷、「有意情報」の種類によるグループ分けと考えられ、これらは基本的には「本部」のサーバにより、自動的に作動するものである。つまり、前者に比べると会員数の増加に伴う事務的業務増大の相関は低い。このことは、会員数増加による知的市場の拡大に有利に働く。
【００９２】
本発明システムは多様な有意情報を扱える場であるため、小規模であったり、細分化されたりしている、いわゆるロングテールな分野について、従来は教育関連産業とみなすことが困難であった知識、情報、技能等でも、インターネット上テレビ電話などでの伝達が可能であり、需要者が存在するものであれば、「講義」の設定が可能である。これにより、ロングテールな分野でもマーケットコンテンツとして拾い上げることができる可能性がある。
【符号の説明】
【００９３】
０１  本部
０２  講師会員
０３  生徒会員
０４  講義
０５  講義ペア
０６  約定価額
０７  分配価額
０８  多段階評価
０９  分配比率
１０  本部システム
１１  メインサーバ
１２  会員情報管理部
１３  会員アイコン表示部
１４  講義ペア仲介部
１５  通信メディア接続部
１６  分配価額算定部
１７  決済サービス部
１８  講師会員室
１９  生徒会員室
２０  有意情報検索タブ
２１  講義履歴閲覧タブ
２２  連絡ボックス
２３  ログアウトボタン
２４  オファー取り消しボタン
２５  逆オファー取り消しボタン
２６  講師側希望条件
２７  オファーボタン
２８  フリースペース
２９  生徒側希望条件
３０  逆オファーボタン
３１  オファーフォーム
３２  送信ボタン
３３  オファー内容確認返信フォーム
３４  ＯＫボタン
３５  お断りボタン
３６  別条件希望ボタン
３７  逆オファーフォーム
３８  逆オファー内容確認返信フォーム
３９  インターネット上決済サービス提供体
４０  決済サービス部１
４１  インターネット上決済サービスＣ
４２  約定価額支払いフォーム
４３  支払いボタン
４４  通信メディア提供体
４５  講義評価フォーム
４６  決済サービス部２
４７  インターネット上決済サービスＤ
４８  確認ボタン
【図１】
2013134578.tif 000003
【図２】
2013134578.tif 000004
【図３】
2013134578.tif 000005
【図４】
2013134578.tif 000006
【図５】
2013134578.tif 000007
【図６】
2013134578.tif 000008
【図７】
2013134578.tif 000009
【図８】
2013134578.tif 000010
【図９】
2013134578.tif 000011
【図１０】
2013134578.tif 000012
【図１１】
2013134578.tif 000013
【図１２】
2013134578.tif 000014
【図１３】
2013134578.tif 000015
【図１４】
2013134578.tif 000016
【図１５】
2013134578.tif 000017
【図１６】
2013134578.tif 000018
【図１７】
2013134578.tif 000019
【図１８】
2013134578.tif 000020
【図１９】
2013134578.tif 000021
【図２０】
2013134578.tif 000022